(57)【要約】【課題】簡単な構造でありながら、読取りユニットが読取りガラスと原稿台ガラス間を移動しても、読取りユニットの規制部が磨耗することのない原稿読取り装置を提供する。【解決手段】読取りユニット２３には、各ガラス２２、３１と該読取りユニット２３との間に介在する規制部３４が設けられている。この規制部３４により、読取りユニット２３と各ガラス２２、３１間の離間距離が一定に維持され、読取りユニット２３のＣＩＳ２４による各ガラス２２、３１上の原稿読取りが正確に行われる。この規制部３４は、透光板３２の平滑な下面３２ａに摺接するだけなので、規制部３４が磨耗することはなく、規制部３４の磨耗が原因となって、読取りユニット２３と各ガラス２２、３１間の離間距離が変動することもない。【選択図】図１
2009165016.tif 000002
【特許請求の範囲】
【請求項１】
原稿台ガラス及び読取りガラスを並設して、前記各ガラスの下方に原稿走査部を配置し、各ガラスと原稿走査部間に介在する規制部を該原稿走査部に設けて、各ガラスに対する原稿走査部の離間距離を一定に維持しており、原稿走査部は、各ガラス間を移動して、原稿台ガラス上に載置された原稿及び読取りガラス上を通過する原稿を読取る原稿読取り装置において、
前記原稿台ガラス及び読取りガラスの下面側に、前記原稿走査部の規制部が摺接する平滑面を有する透光板を設けたことを特徴とする原稿読取り装置。
【請求項２】
前記原稿台ガラス及び読取りガラスの下面は、前記透光板の上面に密着していることを特徴とする請求項１に記載の原稿読取り装置。
【請求項３】
前記原稿走査部は、原稿を読取る読取りセンサを備えることを特徴とする請求項１に記載の原稿読取り装置。
【請求項４】
前記読取りセンサは、密着型読取りセンサであることを特徴とする請求項３に記載の原稿読取り装置。
【請求項５】
前記読取りセンサは、ＣＣＤセンサと、ＣＣＤセンサの受光面に原稿画像を結像する光学系とを備えることを特徴とする請求項３に記載の原稿読取り装置。
【発明の詳細な説明】
【技術分野】
【０００１】
本発明は、複写機やファクシミリ装置等に装備されて、原稿を読取る原稿読取り装置に関する。
【背景技術】
【０００２】
この種の原稿読取り装置としては、図４に示すようなものがある。この装置では、少なくとも１枚の原稿が原稿セットトレイ１０１にセットされると、原稿の有無が原稿有無センサ１０２により検出されると共に、原稿サイズが原稿サイズセンサ１０３により検出される。そして、ピックアップローラ１０４が原稿表面に押し付けられて回転し、原稿がトレイ１０１から引き出され、原稿がサバキローラ１０５と分離パッド１０６間を通過して１枚ずつに分離され搬送路１０７へと搬送される。更に、原稿の先端がレジストローラ１０８に当接して、原稿の先端がレジストローラ１０８と平行に揃えられてから、原稿が読取りガイド１０９と読取りガラス１１１間を通過する。このとき、読取りユニット１１２の光源１１２ａの光が読取りガラス１１１を介して原稿表面に照射され、その反射光が読取りガラス１１１を介して読取りユニット１１２の密着型読取りセンサ（ＣＩＳ）１１３に入射し、この密着型読取りセンサ１１３により原稿画像が読取られる。更に、原稿は、搬送ローラ１１４により搬送され、切り換えゲート１１５及び排紙ローラ１１６を介して排紙トレイ１１７に排出される。
【０００３】
また、原稿が原稿台ガラス１１８上に載置された場合は、読取りユニット１１２が原稿台ガラス１１８の下方まで移動され、読取りユニット１１２が移動されつつ、原稿台ガラス１１８を介して、読取りユニット１１２による原稿の読取りが行われる。
【０００４】
また、読取りユニット１１２には、読取りガラス１１１及び原稿台ガラス１１８と該読取りユニット１１２との間に介在する規制部１１９が設けられている。この規制部１１９は、上下方向に移動可能に支持され、図示しないバネにより上方に付勢されて、一定高さを維持しており、読取りガラス１１１及び原稿台ガラス１１８のいずれかの下面に当接する。この規制部１１９により、読取りユニット１１２が読取りガラス１１１及び原稿台ガラス１１８のいずれの下方にあっても、読取りユニット１１２と各ガラス１１１、１１８間の離間距離が一定に維持され、読取りユニット１１２のＣＩＳ１１３による各ガラス１１１、１１８上の原稿読取りが正確に行われる。
【０００５】
ところで、読取りガラス１１１と原稿台ガラス１１８間には、ステー１２１が設けられており、このステー１２１両側の切り欠き部１２１ａ、１２１ｂに各ガラス１１１、１１８の端部を嵌め入れて、各ガラス１１１、１１８の端部を支持している。
【０００６】
このステー１２１の底面１２１ｃは、各ガラス１１１、１１８下面よりも下方に突出している。このため、読取りユニット１１２の規制部１１９は、各ガラス１１１、１１８間を移動するときにステー１２１の底面１２１ｃを乗り越えなければならないが、先に述べたように上下方向に移動可能に支持されて上方に付勢されていることから、ステー１２１の底面１２１ｃを通過するときに下方に移動して、ステー１２１の底面１２１ｃを乗り越えることができる。
【０００７】
また、特許文献１には、そのような読取りユニット１１２の規制部１１９の支持構造を前提とし、規制部１１９がステー１２１の底面１２１ｃを乗り越えたときに生じる読取りユニット１１２の振動を短時間で収縮させるための構造が記載されている。
【特許文献１】特開２００６−１１５０３１号公報
【発明の開示】
【発明が解決しようとする課題】
【０００８】
しかしながら、図４の従来の装置においては、読取りユニット１１２の規制部１１９がステー１２１の底面１２１ｃを乗り越えるときに、規制部１１９と底面１２１ｃとの間に大きな摺動抵抗が生じ、これが規制部１１９の磨耗の原因となった。更には、規制部１１９が磨耗すると、読取りユニット１１２と各ガラス１１１、１１８間の離間距離が変動し、読取りユニット１１２による原稿の読取りが不正確になった。
【０００９】
また、特許文献１では、規制部１１９がステー１２１の底面１２１ｃを乗り越えたときに生じる読取りユニット１１２の振動を短時間で収縮させるだけではなく、規制部１１９とステー１２１の底面１２１ｃ間の摺動抵抗を低減させる工夫がなされているが、可動体部分及び部品点数が多くなって、構造が複雑化し、コストが上昇した。
【００１０】
そこで、本発明は、上記従来の問題に鑑みてなされたものであり、簡単な構造でありながら、読取りユニットが読取りガラスと原稿台ガラス間を移動しても、読取りユニットの規制部が磨耗することのない原稿読取り装置を提供することを目的とする。
【課題を解決するための手段】
【００１１】
上記課題を解決するために、本発明は、原稿台ガラス及び読取りガラスを並設して、前記各ガラスの下方に原稿走査部を配置し、各ガラスと原稿走査部間に介在する規制部を該原稿走査部に設けて、各ガラスに対する原稿走査部の離間距離を一定に維持しており、原稿走査部は、各ガラス間を移動して、原稿台ガラス上に載置された原稿及び読取りガラス上を通過する原稿を読取る原稿読取り装置において、前記原稿台ガラス及び読取りガラスの下面側に、前記原稿走査部の規制部が摺接する平滑面を有する透光板を設けている。
【００１２】
また、前記原稿台ガラス及び読取りガラスの下面は、前記透光板の上面に密着している。
【００１３】
更に、前記原稿走査部は、原稿を読取る読取りセンサを備えている。
【００１４】
また、前記読取りセンサは、密着型読取りセンサである。
【００１５】
更に、前記読取りセンサは、ＣＣＤセンサと、ＣＣＤセンサの受光面に原稿画像を結像する光学系とを備えている。
【発明の効果】
【００１６】
このような本発明によれば、原稿台ガラス及び読取りガラスの下側に透光板を設けており、この透光板の平滑面に原稿走査部の規制部が摺接する。従って、従来のように原稿走査部の規制部がステーの底面を乗り越えることはなく、その必要性もなく、原稿走査部の規制部の支持構造を簡単化することができる。また、原稿走査部の規制部が透光板の平滑面に摺接するだけなので、原稿走査部の規制部が磨耗することがなく、原稿走査部と各ガラス間の離間距離が変動することもない。このため、長期間にわたって、原稿走査部による原稿の読取り精度を維持することができる。また、透光板を原稿台ガラス及び読取りガラスの下側に重ねるので、構造が簡単であり、原稿走査部による原稿の読取りが阻害されることもない。
【００１７】
また、原稿台ガラス及び読取りガラスの下面を透光板の上面に密着させているので、透光板により各ガラスを直接支持することができ、各ガラスの支持構造を簡略化することができる。
【００１８】
更に、原稿走査部は、原稿の読取りセンサを備えている。この読取りセンサは、密着型読取りセンサ（ＣＩＳ）であっても、また光学系により原稿画像をＣＣＤセンサの受光面に結像する構成であっても構わない。
【発明を実施するための最良の形態】
【００１９】
以下、本発明の原稿読取り装置の実施形態を詳細に説明する。
【００２０】
図１は、本発明の原稿読取り装置の一実施形態を示す断面図である。本実施形態の原稿読取り装置では、原稿セットトレイ１１にセットされた原稿を引き出して搬送しながら読取る流し読みと、原稿台ガラス３１に載置された原稿をそのまま読取る固定読みとを選択的に行うことができる。
【００２１】
原稿の流し読みにおいては、少なくとも１枚の原稿が原稿セットトレイ１１にセットされると、原稿の有無が原稿有無センサ１２により検出されると共に、原稿サイズが原稿サイズセンサ１３により検出される。そして、ピックアップローラ１４が原稿表面に押し付けられて回転し、原稿がトレイ１１から引き出され、原稿がサバキローラ１５と分離パッド１６間を通過して１枚ずつに分離されてから第１搬送路１７へと搬送される。
【００２２】
この第１搬送路１７には用紙センサ１８が設けられており、原稿の先端の通過タイミングが原稿搬送センサ１８により検出され、この通過タイミングに基づいて原稿の搬送制御が行われる。この第１搬送路１７では、原稿の先端がレジストローラ１９に当接して、原稿の先端がレジストローラ１９と平行に揃えられ、この後に原稿がレジストローラ１９により搬送されて読取りガイド２１と読取りガラス２２間を通過する。このとき、読取りユニット２３の光源２３ａの光が読取りガラス２２及び後述する透光板３２を介して原稿表面に照射され、その反射光が読取りガラス２２及び透光板３２を介して読取りユニット２３の密着型読取りセンサ（ＣＩＳ）２４に入射し、このＣＩＳ２４により原稿画像が読取られる。更に、原稿は、搬送ローラ２５により搬送され、切り換えゲート２６及び排紙ローラ２７を介して排紙トレイ２８に排出される。このとき、排紙センサ２９により原稿の後端が検出されて、原稿の排紙が確認される。
【００２３】
また、原稿の両面を読取る場合は、原稿の後端近傍が排紙ローラ２７により挟み込まれたときに、排紙ローラ２７が一旦停止され、切り換えゲート２６が点線に示すように切り換えられた後に、排紙ローラ２７が逆回転され、原稿が第２搬送路３０へと導かれ、原稿が第２搬送路３０から第１搬送路１７へと再度搬送されて、原稿の表裏が反転され、先と同様に原稿がレジストローラ１９から読取りガイド２１と読取りガラス２２間へと搬送されて、原稿裏面の画像が読取りユニット２３により読取られ、更に原稿が搬送ローラ２５→切り換えゲート２６→排紙ローラ２７→排紙トレイ２８という経路で搬送され排紙される。
【００２４】
また、原稿の固定読みにおいては、原稿が原稿台ガラス３１上に載置される。レジストローラ１９、読取りガイド２１、排紙トレイ２８等とそれらよりも上側の部材とは、一体化されて、原稿読取り装置の背面側で開閉可能に枢支されたカバー体となっており、この上側のカバー体を開くと、原稿台ガラス３１が解放されて、原稿台ガラス３１上に原稿を載置することができる。原稿が載置されて、カバー体が閉じられると、読取りユニット２３が原稿台ガラス３１の下方まで移動され、読取りユニット２３が副走査方向に移動されつつ、読取りユニット２３の光源２３ａの光が原稿台ガラス３１及び透光板３２を介して原稿表面に照射され、その反射光が原稿台ガラス３１及び透光板３２を介して、読取りユニット２３のＣＩＳ２４に入射し、このＣＩＳ２４により原稿画像が読取られる。
【００２５】
図２は、本実施形態の原稿読取り装置の構成を示すブロック図である。ここで、主制御部(メインＣＰＵ)４１は、原稿読取り装置全体の動作を制御するためのものである。副制御部(サブＣＰＵ)４２は、排紙ローラ２５を反転させるための反転駆動モータ４３を駆動制御するためのものである。ピックアップローラソレノイド４４は、ピックアップローラ１４を原稿に離接するための駆動機構の動力源であり、このソレノイド４４の付勢及び消勢によりピックアップローラ１４が上下移動する。読取りユニット２３は、先に述べたように光源２３ａ及びＣＩＳ２４等を備えており、ＣＩＳ２４から原稿画像を示す画像データが出力される。搬送モータ４５は、ピックアップローラ１４、サバキローラ１５、レジストローラ１９、搬送ローラ２５を回転駆動するための動力源である。原稿有無センサ１２、原稿サイズセンサ１３、用紙センサ１８、排紙センサ２９は、先に述べた通りのものであり、これらのセンサの検出出力に基づいて主制御部４１及び副制御部４２による制御が行われる。
【００２６】
ところで、本実施形態の原稿読取り装置においては、図１に示すように読取りガラス２２及び原稿台ガラス３１下側に透光板３２が設けられており、各ガラス２２、３１が透光板３２上に載置されて、各ガラス２２、３１の下面が透光板３２の上面に密着している。また、原稿の搬送経路の一部を形成する原稿ガイド部材３３が各ガラス２２、３１間に配置され、この原稿ガイド部材３３も透光板３２上に載置されている。従って、透光板３２により読取りガラス２２、原稿台ガラス３１、及び原稿ガイド部材３３が支持されている。
【００２７】
透光板３２は、例えば均一厚さのガラス板であって、透光性を有する。このため、各ガラス２２、３１下面に重ねられた透光板３２が原因となって、読取りユニット２３による原稿の読取りが阻害されることはない。
【００２８】
また、各ガラス２２、３１の厚みは、均一であって相互に同一である。従って、読取りガラス２２及び透光板３２が重なり合う部位の全厚みと原稿台ガラス３１及び透光板３２が重なり合う部位の全厚みが等しく、各ガラス２２、３１のいずれの部位でも、読取りユニット２３による原稿読取りが同一厚さのガラスを介して行われる。
【００２９】
また、読取りユニット２３には、各ガラス２２、３１と該読取りユニット２３との間に介在する規制部３４が設けられている。この規制部３４は、上下方向に移動可能に支持され、図示しないバネにより上方に付勢されて、一定高さを維持しており、各ガラス２２、３１下側の透光板３２の平滑な下面３２ａに当接している。この規制部３４により、読取りユニット２３と各ガラス２２、３１間の離間距離が一定に維持され、読取りユニット２３のＣＩＳ２４による各ガラス２２、３１上の原稿読取りが正確に行われる。
【００３０】
この規制部３４は、読取りユニット２３が各ガラス２２、３１下方で移動するときに、透光板３２の平滑な下面３２ａに摺接するだけなので、規制部３４が磨耗することはなく、規制部３４の磨耗が原因となって、読取りユニット２３と各ガラス２２、３１間の離間距離が変動することもない。このため、長期間にわたって、読取りユニット２３による原稿の読取り精度を維持することができる。また、規制部３４が図４に示すような従来のステー１２１の底面１２１ｃを乗り越えることがないので、規制部３４の振動を生じることがなく、しかも規制部３４の支持構造を簡単化することができる。更に、透光板３２を各ガラス２２、３１の下側に重ねて、各ガラス２２、３１を支持しているので、各ガラス２２、３１の支持構造が簡単になる。
【００３１】
図３は、図１の原稿読取り装置の変形例を示している。ここでは、図１の読取りユニット２３の代わりに、読取りユニット５１を適用している。尚、図３において、図１と同様の作用を果たす部位には同じ符号を付す。
【００３２】
この読取りユニット５１は、各ガラス２２、３１の下方に設けられた第１走査部５２、第２走査部５３、結像レンズ５４、及びＣＣＤ５５を備えている。
【００３３】
原稿の流し読みにおいては、原稿が読取りガラス２２を通過する際に、第１走査部５２の光源５２ａによって原稿表面を露光し、第１及び第２走査部５２、５３のミラーによって原稿表面からの反射光を結像レンズ５４へと導き、結像レンズ５４によって原稿表面の画像をＣＣＤ（Charge Coupled Device）５５上に結像する。ＣＣＤ５５は、原稿表面の画像を読取り、原稿表面の画像を示す画像データを出力する。
【００３４】
また、原稿の固定読みにおいては、第１及び第２走査部５２、５３を副走査方向に移動させながら、第１走査部５２によって原稿台ガラス３１上の原稿表面を露光し、第１及び第２走査部５２、５３によって原稿表面からの反射光を更に反射して結像レンズ５４へと導き、結像レンズ５４によって原稿表面の画像をＣＣＤ５５上に結像する。このとき、第１及び第２走査部５２、５３を相互に所定の速度関係を維持しつつ移動させて、原稿表面→第１及び第２走査部５２、５３→結像レンズ５４→ＣＣＤ５５という反射光の光路の長さが変化しないように第１及び第２走査部５２、５３の位置関係を常に維持し、これによりＣＣＤ５５上での原稿表面の画像のピントを常に正確に維持している。
【００３５】
第２走査部５３には規制部３４が設けられており、この規制部３４が各ガラス２２、３１に重なる透光板３２の平滑な下面３２ａに当接して、第２走査部５３と各ガラス２２、３１間の離間距離が一定に維持され、読取りユニット５１による各ガラス２２、３１上の原稿読取りが正確に行われる。
【００３６】
このような構成においても、規制部３４が磨耗することはなく、長期間にわたって、読取りユニット５１による原稿の読取り精度を維持することができる。
【図面の簡単な説明】
【００３７】
【図１】本発明の原稿読取り装置の一実施形態を示す断面図である。
【図２】図１の原稿読取り装置の構成を示すブロック図である。
【図３】図１の原稿読取り装置の変形例を示す断面図である。
【図４】従来の原稿読取り装置を示す断面図である。
【符号の説明】
【００３８】
１１  原稿セットトレイ
１２  原稿有無センサ
１３  原稿サイズセンサ
１４  ピックアップローラ
１５  サバキローラ
１６  分離パッド
１７  第１搬送路
１８  用紙センサ
１９  レジストローラ
２１  読取りガイド
２２  読取りガラス
２３  読取りユニット
２４  密着型読取りセンサ（ＣＩＳ）
２５  搬送ローラ
２６  切り換えゲート
２７  排紙ローラ
２８  排紙トレイ
２９  排紙センサ
３１  原稿台ガラス
３２  透光板
３３  原稿ガイド部材
３４  規制部
【図１】
2009165016.tif 000003
【図２】
2009165016.tif 000004
【図３】
2009165016.tif 000005
【図４】
2009165016.tif 000006